(57)【要約】    【構成】    防蟻システム１０は、二重配管１０２が施工されたコンクリート基礎１００の配管貫通部分から屋内への白蟻の侵入を防止するものである。受け板１２は、ドーナツ板状に形成され、コンクリート基礎１００の水平面１００ａより上部に露出した内管１０６に外嵌して設けられ、コンクリート基礎１００の水平面１００ａの上に配設される。受け板１２の上方および周囲には、蟻侵入防止２８が集積される。外周規定部１６は、コンクリート基礎１００の水平面１００ａ上に固定されて、所定の高さおよび範囲に集積させた白蟻侵入防止剤２８が崩れて移動したりすることを防止する。    【効果】  白蟻侵入防止剤の更新や補修を簡単に行うことができる。【選択図】図１
2013227851.tif 000002
【特許請求の範囲】
【請求項１】
建物のコンクリート基礎を貫通する鞘管内に内管を挿通した二重配管が施工された配管貫通部分から屋内への白蟻の侵入を防止するための防蟻システムであって、
前記鞘管の屋内側の管端付近で前記内管の周囲に設けられる受け板、
前記受け板の上方および前記受け板の外周縁から所定距離の範囲に所定高さを有するように集積される粒子状または小片状の白蟻侵入防止剤、および
前記白蟻侵入防止剤の外周を規定する外周規定部を備える、防蟻システム。
【請求項２】
前記受け板は、前記コンクリート基礎の屋内側の水平面の上に配置される、請求項１記載の防蟻システム。
【請求項３】
前記鞘管の前記管端には、上端が前記コンクリート基礎の前記水平面と面一になる継ぎ管が接続され、
前記受け板は、前記継ぎ管の前記上端および前記コンクリート基礎の前記水平面の上に配置される、請求項２記載の防蟻システム。
【請求項４】
前記外周規定部と着脱可能に設けられ、前記白蟻侵入防止剤の上方を覆う蓋部材をさらに備える、請求項１ないし３のいずれかに記載の防蟻システム。
【請求項５】
前記蓋部材は、
中央部に前記内管を挿通させる開口が形成された蓋本体、および
前記蓋本体の前記開口を規定する内縁から外縁まで延びて形成される切断部を含む、請求項４記載の防蟻システム。
【請求項６】
前記受け板と前記外周規定部とが一体的に形成された、請求項１ないし３のいずれかに記載の防蟻システム。
【請求項７】
建物のコンクリート基礎を貫通する鞘管内に内管を挿通させた二重配管が施工された配管貫通部分から屋内への白蟻の侵入を防止するための防蟻システムであって、
前記コンクリート基礎の屋内側の水平面から前記鞘管の屋内側の管端まで上下に貫通する開口部、
前記開口部内に配置され、前記内管の周囲に設けられる受け板、および
前記開口部内で前記受け板の上方に所定高さを有するように集積される粒子状または小片状の白蟻侵入防止剤を備え、
前記白蟻侵入防止剤の外周が前記開口部の周囲の前記コンクリート基礎によって規定された、防蟻システム。
【発明の詳細な説明】
【技術分野】
【０００１】
この発明は、防蟻システムに関し、特にたとえば、建物のコンクリート基礎の配管貫通部分から屋内への白蟻の侵入を防止するための、防蟻システムに関する。
【背景技術】
【０００２】
従来の防蟻システムの一例が、特許文献１に開示されている。
【０００３】
この特許文献１の防蟻システムでは、鞘管と鞘管内に挿通された配管とが建物のコンクリート基礎を貫通しており、鞘管の屋内側の端部の外周面には、板状のブチルゴムに防蟻処理として防蟻剤を添加した防蟻テープ（外防蟻部材）が設けられる。防蟻テープは、コンクリート基礎に埋め込まれ、鞘管の外面とコンクリート基礎との間からのシロアリの侵入を防止する。また、鞘管の屋外側の端部の内面と配管の外面との間には、合成ゴムに防蟻処理として防蟻剤を添加した防蟻パッキン（内防蟻部材）が設けられる。防蟻パッキンは、雨水などの侵入を防止するとともに、鞘管の内面と配管の外面との間からのシロアリの侵入を防止する。
【特許文献１】特開２０１１−２６９４５号［Ｅ０３Ｃ  ５／０２］
【発明の概要】
【発明が解決しようとする課題】
【０００４】
一般的に、防蟻剤は約５年しか効果を持続させることができず、５年を目途として防蟻剤の再処理を行わなければならないが、特許文献１の技術では、防蟻テープの防蟻効果がきれても、防蟻テープはコンクリート基礎に埋め込まれているため、コンクリート基礎を傷めることなく更新することができない。よって、特許文献１の技術では、防蟻剤の更新が困難である。また、温度変化によるコンクリートの収縮や地震などによって、コンクリート基礎と鞘管の外面との間に隙間が生じると、防蟻テープはその防蟻効果を適切に発揮できなくなるが、特許文献１の技術では、コンクリート基礎を形成した後に防蟻テープの状態を目視確認することができないため、防蟻テープが防蟻効果を持続できているかどうかに不安があった。
【０００５】
それゆえに、この発明の主たる目的は、新規な、防蟻システムを提供することである。
【０００６】
この発明の他の目的は、確実な防蟻効果を持続させることができ、かつ将来的な更新も可能な、防蟻システムを提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、建物のコンクリート基礎を貫通する鞘管内に内管を挿通させた二重配管が施工された配管貫通部分から屋内への白蟻の侵入を防止するための防蟻システムであって、鞘管の屋内側の管端付近で内管の周囲に設けられる受け板、受け板の上方および受け板の外周縁から所定距離の範囲に所定高さを有するように集積される粒子状または小片状の白蟻侵入防止剤、および白蟻侵入防止剤の外周を規定する外周規定部を備える、防蟻システムである。
【０００９】
第１の発明では、防蟻システム（１０）は、二重配管（１０２）が施工されたコンクリート基礎（１００）の配管貫通部分に施工されるものであり、受け板（１２）を備えている。受け板（１２）は、たとえばドーナツ板状に形成され、鞘管（１０４）の屋内側の管端付近で内管（１０６）の周囲に設けられる。受け板の上方および周囲には、白蟻侵入防止剤（２８）が集積される。白蟻侵入防止剤は、コレマナイトやガラスを粒子状または小片状にしたものであり、その粒子自体または小片自体に防蟻性能を有している。そして、白蟻が白蟻侵入防止剤を上下方向ないし水平方向に通過することを防止できるように、受け板の上方および受け板の外周縁から所定の水平距離の範囲に所定高さを有するように集積される。さらに、受け板よりも外側には、白蟻侵入防止剤の外周を規定する外周規定部（１６）が設けられる。たとえば、外周規定部は、コンクリート基礎の水平面（１００ａ）上に固定されて、集積させた白蟻侵入防止剤が崩れて移動したりすることを防止する。
【００１０】
第１の発明によれば、防蟻システムをコンクリート基礎の配管貫通部分に施工することにより、鞘管とコンクリート基礎との隙間や、鞘管と内管との隙間など二重配管の配管貫通部分に侵入した白蟻が屋内へ侵入することを防止できる。
【００１１】
そして、白蟻侵入防止剤が崩れて移動したりすることを外周規定部によって防止しているので、確実な防蟻効果を持続させることが可能であり、また、もし集積させた白蟻侵入防止剤が崩れて移動した場合にも、白蟻侵入防止剤を交換しまたは再配置するだけの簡単な作業で、白蟻侵入防止剤の更新や補修を行うことができる。
【００１２】
第２の発明は、第１の発明に従属し、受け板は、コンクリート基礎の屋内側の水平面の上に配置される。
【００１３】
第２の発明では、受け板（１２）は、たとえば、コンクリート基礎（１００）の水平面（１００ａ）より上部に露出した内管（１０６）に外嵌されるとともに、コンクリート基礎の水平面上に配設される。こうすることにより、受け板の上方および周囲に集積させた白蟻侵入防止剤（２８）がコンクリート基礎の水平面に露出するので、防蟻システム（１０）を施工した後でも、白蟻侵入防止剤を簡単に目視確認できるようになる。
【００１４】
第２の発明によれば、白蟻侵入防止剤の更新や補修をより簡単に行うことができるようになる。
【００１５】
第３の発明は、第１または２の発明に従属し、鞘管の管端には、上端がコンクリート基礎の屋内側の水平面と面一になる継ぎ管が接続され、受け板は、継ぎ管の上端およびコンクリート基礎の水平面の上に配置される。
【００１６】
第３の発明では、二重配管（１０２）の鞘管（１０４）の屋内側受口（１１２）には、継ぎ管（１２８）が接続され、継ぎ管の上端はコンクリート基礎（１００）の水平面（１００ａ）と面一になるようにされる。受け板（１２）は、コンクリート基礎の水平面より上部に露出した内管（１０６）に外嵌され、コンクリート基礎の水平面および継ぎ管の上端の上に配設される。
【００１７】
第４の発明は、第１ないし３のいずれかの発明に従属し、外周規定部と着脱可能に設けられ、白蟻侵入防止剤の上方を覆う蓋部材をさらに備える。
【００１８】
第４の発明では、受け板（１２）の上方および周囲に集積した白蟻侵入防止剤（２８）の上方が蓋部材（４６）によって覆われている。蓋部材は、外周規定部（１６）のたとえば上端付近に着脱可能に設けられ、白蟻侵入防止剤が外周規定部を越えてそれよりも外側に移動することを防止する。
【００１９】
第４の発明によれば、集積した白蟻侵入防止剤を固化剤などを利用して固める作業を行う必要がなくなるので、施工性を向上させることができる。
【００２０】
第５の発明は、第４の発明に従属し、蓋部材は、中央部に内管を挿通させる開口が形成された蓋本体、および蓋本体の開口を規定する内縁から外縁まで延びて形成される切断部を含む。
【００２１】
第５の発明では、蓋部材（４６）は、たとえば中央部に開口（５０）を有するドーナツ板状に形成される蓋本体（４８）を含み、この蓋本体には、開口を規定する内縁から外縁にかけて延び、蓋本体を周方向に分断する切断部（５４）が形成される。そして、蓋部材を設置するときには、切断部を通して内管（１０６）を開口に挿通させ、切断部を閉じることによって、蓋部材を内管に外嵌させる。
【００２２】
第６の発明は、第１ないし５のいずれかの発明に従属し、受け板と外周規定部とが一体的に形成される。
【００２３】
第６の発明では、受け板（１２）と外周規制部（１６）とが一体的に形成され、それらが白蟻侵入防止剤集積ユニット（３０）としてパッケージ化される。たとえば、受け板の外周縁には、垂直方向に立ち上がる立上り部（３２）が形成され、立上り部の上端には、立上り部と外周規制部とを連結する連結部（３４）が形成される。
【００２４】
第６の発明によれば、白蟻侵入防止剤集積ユニットをコンクリート基礎に固定して、その内部に白蟻侵入防止剤を集積するだけで、防蟻システムを施工できるようになる。すなわち、受け板の外周縁と外周規制部との間の距離を施工現場で正確に計測する作業などを行う必要がなくなるので、施工性に優れる。
【００２５】
第７の発明は、建物のコンクリート基礎を貫通する鞘管内に内管を挿通させた二重配管が施工された配管貫通部分から屋内への白蟻の侵入を防止するための防蟻システムであって、コンクリート基礎の屋内側の水平面から鞘管の屋内側の管端まで上下に貫通する開口部、開口部内に配置され、内管の周囲に設けられる受け板、および開口部内で受け板の上方に所定高さを有するように集積される粒子状または小片状の白蟻侵入防止剤を備え、白蟻侵入防止剤の外周が開口部の周囲のコンクリート基礎によって規定された、防蟻システムである。
【００２６】
第７の発明では、防蟻システム（１０）は、開口部（４２）、受け板（１２）、および白蟻侵入防止剤（２８）を備えている。開口部は、たとえばコンクリート基礎（１００）の水平面（１００ａ）に形成される円柱形の開口であり、コンクリート基礎の水平面から鞘管（１０４）の屋内側の管端まで上下方向に貫通する。受け板は、開口部内で内管（１０６）に外嵌され、たとえば鞘管の屋内側受口（１１２）に嵌め込むように配置される。白蟻侵入防止剤は、開口部内で受け板の上方に集積され、その外周が開口部の周囲のコンクリート基礎によって規定される。白蟻侵入防止剤は、白蟻が白蟻侵入防止剤の内部ないし周縁を上下方向に通過することを防止できるように、受け板の上方に所定高さを有するように集積される。
【００２７】
第７の発明によれば、防蟻システムをコンクリート基礎の配管貫通部分に施工することにより、鞘管とコンクリート基礎との隙間や、鞘管と内管との隙間など二重配管の配管貫通部分に侵入した白蟻が屋内へ侵入することを防止できる。
【００２８】
そして、白蟻侵入防止剤が崩れて移動したりすることを開口部の周囲のコンクリート基礎によって防止しているので、確実な防蟻効果を持続させることが可能であり、また、もし集積させた白蟻侵入防止剤が崩れて移動した場合にも、白蟻侵入防止剤を交換しまたは再配置するだけの簡単な作業で、白蟻侵入防止剤の更新や補修を行うことができる。
【発明の効果】
【００２９】
この発明によれば、受け板の上方および周囲に白蟻侵入防止剤を集積させ、その外周を外周規制部やコンクリート基礎などで規定するようにしているので、確実な防蟻効果を長期間に亘って持続させることが可能である。
【００３０】
この発明の上述の目的，その他の目的，特徴および利点は、図面を参照して行う以下の実施例の詳細な説明から一層明らかとなろう。
【図面の簡単な説明】
【００３１】
【図１】この発明の一実施例の防蟻システムを基礎コンクリートの配管貫通部分に施工した様子を示す断面図である。
【図２】図１の二重配管の構造を示す図解図である。
【図３】図１の防蟻システムの要部を拡大して示す図解図である。
【図４】図３を上面視した平面図である。
【図５】図１の外周規制部を示す斜視図である。
【図６】図１の防蟻システムにおいて白蟻侵入防止剤を集積可能な寸法を示す図解図である。
【図７】図１の防蟻システムによって配管貫通部分から屋内への白蟻の侵入を防止する様子を示す図解図である。
【図８】この発明の別の実施例の防蟻システムの要部を拡大して示す図解図である。
【図９】この発明のさらに別の実施例の防蟻システムを基礎コンクリートの配管貫通部分に施工した様子を示す断面図である。
【図１０】図９の白蟻侵入防止剤集積ユニットを示す斜視図である。
【図１１】図９の防蟻システムにおいて白蟻侵入防止剤を集積可能な寸法を示す図解図である。
【図１２】図９の防蟻システムによって配管貫通部分から屋内への白蟻の侵入を防止する様子を示す図解図である。
【図１３】この発明のさらに別の実施例の防蟻システムを基礎コンクリートの配管貫通部分に施工した様子を示す断面図である。
【図１４】図１３の防蟻システムの要部を拡大して示す図解図である。
【図１５】図１３の防蟻システムにおいて白蟻侵入防止剤を集積可能な寸法を示す図解図である。
【図１６】図１３の防蟻システムを基礎コンクリートに施工する様子を示す図解図である。
【図１７】図１３の防蟻システムによって配管貫通部分から屋内への白蟻の侵入を防止する様子を示す図解図である。
【図１８】この発明のさらに別の実施例の防蟻システムを基礎コンクリートの配管貫通部分に施工した様子を示す断面図である。
【図１９】（ａ）は、図１８の外周規制部を示す上面図であり、（ｂ）は、図１８の外周規制部を示す側面図である。
【図２０】図１８の蓋部材を示す上面図である。
【図２１】蓋部材の変形実施例を示す上面図である。
【図２２】蓋部材の変形実施例を示す上面図である。
【図２３】蓋部材の変形実施例を示す上面図である。
【発明を実施するための形態】
【００３２】
図１を参照して、この発明の一実施例である防蟻システム１０は、建物の床下などに施工されるものであり、ベタ基礎などのコンクリート基礎１００に施工された二重配管１０２がコンクリート基礎１００を貫通している配管貫通部分から屋内への白蟻の侵入を防止する。
【００３３】
先ず、後述するこの発明の理解に必要な範囲で、二重配管１０２について簡単に説明する。
【００３４】
図１および図２を参照して、二重配管１０２は、鞘管１０４および内管１０６を含み、建物のコンクリート基礎１００に鞘管１０４が埋め込まれ、その鞘管１０４内に挿通された内管１０６が屋内外の排水管どうしを接続する。ただし、以下に説明する二重配管１０２は、単なる一例であって、この発明の要旨を変更しない範囲において適宜変更可能である。
【００３５】
図１および図２に示すように、鞘管１０４は、ポリエチレンなどの合成樹脂からなり、それぞれ別体として成形された第１鞘管部１０８および第２鞘管部１１０を組み合わせることによって、略Ｌ字状に形成される。第１鞘管部１０８は、垂直またはほぼ垂直方向に延びて、その上端がコンクリート基礎１００の屋内側で開口する。第１鞘管部１０８の上端は、拡径受口形状を有しており、その受口（屋内側受口）１１２に後述する継ぎ管１２８が接続される。また、第１鞘管部１０８の下端部には、水平方向に向けて短円筒状に突き出す接続部１１４が形成される。たとえば、接続部１１４の内面には、ねじ溝が形成されている。
【００３６】
第２鞘管部１１０は、第１鞘管部１０８の開口部１１４から水平またはほぼ水平方向に延びる。たとえば、第２鞘管部１１０の一端の外面には、ねじ山が形成されており、このねじ山が接続部１１４のねじ溝に螺合される。第２鞘管部１１０の他端は、拡径受口形状を有しており、その受口（屋外側受口）１１６がコンクリート基礎１００の屋外側で開口する。
【００３７】
一方、内管１０６は、塩化ビニルなどの合成樹脂からなり、それぞれ別体として成形された屈曲内管部１１８、第１内管部１２０および第２内管部１２２を組み合わせることによって、略Ｌ字状に形成される。屈曲内管部１１８は、たとえば９０°エルボであり、第１鞘管部１０８の内部に配置される。屈曲内管部１１８の一端には、垂直上方向に開口する第１受口１２４が形成され、その他端には、水平方向に開口する第２受口１２６が形成される。
【００３８】
さらに、第１鞘管部１０８内には、垂直上方向に延びる第１内管部１２０が配置される。第１内管部１２０は、塩化ビニル管などであり、その一端は、屈曲内管部１１８の第１受口１２４に挿入され、たとえば接着剤等で接着接合される。第１内管部１２０の他端は、第１鞘管部１０８から屋内に向けて延び、継手や合流ますなどを介して屋内排水管（図示せず）に接続される。
【００３９】
また、第２鞘管部１１０内には、水平方向に延びる第２内管部１２２が配置される。第２内管部１２２は、塩化ビニル管などであり、その一端は、屈曲内管部１１８の第２受口１２６に挿入され、たとえば水密状態でゴム輪接合される。第２内管部１２２の他端は、第２鞘管部１１０から屋外に向けて延び、継手などを介して屋外排水管（図示せず）に接続される。
【００４０】
このような二重配管１０２は、建物のコンクリート基礎１００への施工時には、コンクリート基礎１００を作るための基礎型枠（図示せず）内に配置されて、コンクリート基礎１００に埋め込まれる。
【００４１】
具体的には、先ず、鞘管１０４内に、内管１０６を挿通させる。ただし、コンクリート基礎１００を打設した後で鞘管１０４内に内管１０６を挿通させるようにしてもよい。それから、鞘管１０４の屋内側受口１１２がコンクリート基礎１００の屋内側の水平面（上面）１００ａのやや下方で開口し、かつ鞘管１０４の屋外側受口１１６が屋外に露出して開口するように、鞘管１０４を基礎型枠内の配筋に支持具などで吊り下げることによって固定する。
【００４２】
ただし、このコンクリート基礎１００の水平面１００ａとは、あくまでコンクリート基礎１００において屋内側で水平方向に拡がる面を意味し、「水平」とは、厳密に水平と一致するか否かを定義するものではない。
【００４３】
そして、鞘管１０４の屋内側受口１１２に継ぎ管１２８を挿入して、基礎型枠内にコンクリートを打設し、コンクリート基礎１００を形成する。なお、継ぎ管１２８は、塩化ビニルなどの合成樹脂で形成された直管であり、その外径は鞘管１０４の屋内側受口１１２の径と等しくなるように設定される。続いて、コンクリートが乾いたら、コンクリート基礎１００の水平面１００ａより上部に露出した継ぎ管１２８を必要に応じて切断して、作業を終了する。
【００４４】
以上で、建物のコンクリート基礎１００に施工される二重配管１０２について説明した。
【００４５】
以下に、このような二重配管１０２を前提にして、必要に応じてそれらを援用しながら、本発明の実施例または実施形態について説明する。
【００４６】
図３および図４に示すように、防蟻システム１０は、上述したような二重配管１０２が施工されたコンクリート基礎１００の配管貫通部分から屋内への白蟻の侵入を防止するものであり、内管１０６（ここでは、第１内管部１２０）の周囲に設けられる受け板１２を備えている。
【００４７】
受け板１２は、ポリエチレンなどの合成樹脂からなり、中央部に開口１４を有するドーナツ板状に形成され、コンクリート基礎１００の水平面１００ａより上部に露出した内管１０６に外嵌されるとともに、コンクリート基礎１００の水平面１００ａおよび継ぎ管１２８の上端の上に配設される。すなわち、受け板１２の開口１４には内管１０６が挿通され、受け板１２の内径（つまり、開口１４の径）は、内管１０６の外径と略等しくなるように設定される。具体的には、受け板１２の内径は、受け板１２の内周縁と内管１０６の外面との隙間が多くとも１ｍｍ以下になるようにされ、たとえば８９．５ｍｍである。また、受け板１２の外径は、鞘管１０４の屋内側受口１１２の径よりも大きくなるように設定され、たとえば２４６ｍｍである。
【００４８】
受け板１２よりも外側には、外周規定部１６が設けられる。外周規定部１６は、後述する白蟻侵入防止剤２８の外周を規定するものであり、ポリエチレンなどの合成樹脂によって略短円筒状に形成され、コンクリート基礎１００の水平面の上に固定される。図５に示すように、外周規定部１６は、短円筒部１８を有している。短円筒部１８は、上下方向に延びる短円筒状に形成され、その下端には、短円筒部１８の外面からその全周に亘って外側に突き出すドーナツ板状の支持部２０が形成される。支持部２０は、周方向に間隔を隔てて並ぶ複数、たとえばこの実施例では４つの突部２２を含み、この突部２２には、厚み方向に貫通するボルト孔２４が形成される。そして、図３および図４に示すように、突部２２のボルト孔２４に挿通したボルト２６をコンクリート基礎１００の水平面１００ａに打ち込むことにより、外周規定部１６をコンクリート基礎１００の水平面１００ａ上に固定する。
【００４９】
また、受け板１２の上方および周囲には、白蟻侵入防止剤２８が集積される。白蟻侵入防止剤２８は、コレマナイトやガラスを粒子状または小片状にしたものであり、その粒子自体または小片自体に防蟻性能を有している。すなわち、白蟻侵入防止剤２８は、白蟻の侵入を物理的に防ぐものであり、集積した白蟻侵入防止剤２８の内部や周縁に沿った経路を白蟻が通過することを防止する。このため、防蟻薬剤などを利用して白蟻の侵入を防ぐ場合と比較して、定期的な再処理が不要であり、また、環境や人への負荷も低減できる。たとえば、この実施例では、白蟻侵入防止剤２８として尖角形状のガラス片を使用しており、具体的には、フクビ化学工業株式会社製のノンケミアリダンクリスタル（商品名）などを使用し得る。ただし、白蟻侵入防止剤２８として、防蟻薬液含浸無機質粒子なども使用可能である。
【００５０】
上述したように、白蟻侵入防止剤２８の外周は外周規定部１６によって規定される。すなわち、白蟻侵入防止剤２８は、外周規定部１６の短円筒部１８の内面と内管１０６の外面とコンクリート基礎１００の水平面１００ａとによって囲まれた上側開口の容器状の空間に集積（充填）され、全体としてリング形状を有するようにされる。そして、図３および図６に示すように、白蟻侵入防止剤２８を集積可能な最大高さが、短円筒部１８の上下方向の長さ（高さ）に応じて規定され、白蟻侵入防止剤２８を集積可能な最大範囲が、短円筒部１８の内径に応じて規定されることとなる。
【００５１】
ここで、本願発明者等による実験によると、本実施例の白蟻侵入防止剤２８を集積させたときに、白蟻は、その集積した白蟻侵入防止剤２８の内部や、白蟻侵入防止剤２８の周縁に沿った経路を１０ｍｍ以上進むことができないことが確認された。
【００５２】
すなわち、白蟻が白蟻侵入防止剤２８の内部や周縁に沿った経路を上下方向に通過することを防止するためには、白蟻侵入防止剤２８が少なくとも１０ｍｍ以上の高さを有している必要があり、好ましくは２０ｍｍ以上、より好ましくは３０ｍｍ以上であることが望ましい。そこで、この実施例では、外周規定部１６の短円筒部１８の高さｄ１を３０ｍｍに設定し、その短円筒部１８の高さｄ１に合わせて、白蟻侵入防止剤２８を３０ｍｍの高さまで集積するようにしている。
【００５３】
また、同じように、白蟻が白蟻侵入防止剤２８の内部や周縁に沿った経路を水平（横）方向に通過することを防止するためには、白蟻侵入防止剤２８が水平方向に１０ｍｍ以上の長さ（水平距離）を有している必要があり、好ましくは２０ｍｍ以上、より好ましくは３０ｍｍ以上であることが望ましい。そこで、この実施例では、外周規定部１６の短円筒部１８の内径を３１７ｍｍに設定し、その短円筒部１８の内面と受け板１２の外周縁との水平距離ｄ２が約３６ｍｍになるようにしている（∵（３１７−２４６）÷２＝３５．５ｍｍ）。そして、こうすることにより、受け板１２の外周縁から水平距離が３０ｍｍの範囲に白蟻侵入防止剤２８を集積するようにしている。
【００５４】
図１を参照して、このような防蟻システム１０をコンクリート基礎１００の配管貫通部分に施工するためには、先ず、コンクリート基礎１００の水平面１００ａより上部に露出した継ぎ管１２８を切断し、継ぎ管１２８の上端がコンクリート基礎１００の水平面１００ａと面一になるようにする。
【００５５】
それから、コンクリート基礎１００の水平面１００ａより上部に露出した内管１０６（ここでは、第１内管部１２０）に受け板１２を外嵌させて、受け板１２をコンクリート基礎１００の水平面１００ａおよび継ぎ管１２８の上端の上に配置する。
【００５６】
そして、受け板１２の外周から所定の距離を確保した位置に外周規定部１６を配置し、その外周規定部１６をボルト２６によってコンクリート基礎１００の水平面１００ａ上に固定する。そして、短円筒部１８の内面と内管１０６の外面とコンクリート基礎１００の水平面とによって囲まれた上側開口の容器状の空間に白蟻侵入防止剤２８を全体としてリング形状を有するように集積し、その集積した白蟻侵入防止剤２８が外周規定部１６を越えてそれよりも外側に移動（散乱）することがないように、白蟻侵入防止剤２８の表面に専用の固化剤を吹き付けて固める。たとえば、固化剤としては、特殊樹脂エマルジョン系等の接着剤を使用し得る。これにより、コンクリート基礎１００の配管貫通部分への防蟻システム１０の施工が完了する。
【００５７】
このようにして防蟻システム１０をコンクリート基礎１００の配管貫通部分に施工することにより、図７（ａ）に示すように、白蟻が屋外から鞘管１０４の外側（鞘管１０４とコンクリート基礎１００との隙間）を通って配管貫通部分へ侵入したときには、鞘管１０４および継ぎ管１２８の外面上を上って受け板１２とコンクリート基礎１００の水平面１００ａとの間に到達した白蟻が、受け板１２の外周縁から上方に向けて白蟻侵入防止剤２８の内部を進もうとしても、白蟻侵入防止剤２８が防蟻性能を発揮できる所定の高さに白蟻侵入防止剤２８を集積していることにより、白蟻は白蟻侵入防止剤２８の内部を上方に向けて通過することができないので、屋内への白蟻の侵入を防止できる。
【００５８】
また、図７（ｂ）に示すように、同じように受け板１２とコンクリート基礎１００の水平面１００ａとの間に到達した白蟻が、受け板１２の外周縁から外方に向けて白蟻侵入防止剤２８の底部に沿った経路（つまり、白蟻侵入防止剤２８の底部とコンクリート基礎１００の水平面１００ａとの隙間）を進もうとしても、受け板１２の外周縁から白蟻侵入防止剤２８が防蟻性能を発揮できる所定の距離の範囲に白蟻侵入防止剤２８を集積していることにより、白蟻は白蟻侵入防止剤２８の底部に沿った経路を外方に向けて通過することができないので、屋内への白蟻の侵入を防止できる。
【００５９】
さらに、図７（ｃ）に示すように、白蟻が屋外から内管１０６の外側（鞘管１０４と内管１０６との隙間）を通って配管貫通部分へ侵入したときにも、内管１０６の外面上を上って内管１０６と受け板１２の内周縁との間に到達した白蟻が、そこから白蟻侵入防止剤２８の内周縁に沿った経路（つまり、白蟻侵入防止剤２８の内周縁と内管１０６の外面との隙間）を上方に向けて進もうとしても、白蟻侵入防止剤２８が防蟻性能を発揮できる所定の高さに白蟻侵入防止剤２８を集積していることにより、白蟻は白蟻侵入防止剤２８の内周縁に沿った経路を上方に向けて通過することができないので、屋内への白蟻の侵入を防止できる。
【００６０】
以上のように、防蟻システム１０をコンクリート基礎１００の配管貫通部分に施工することにより、鞘管１０４とコンクリート基礎１００との隙間や、鞘管１０４と内管１０６との隙間など二重配管１０２の配管貫通部分に侵入した白蟻が屋内へ侵入することを防止できる。
【００６１】
ここで、白蟻侵入防止剤２８は白蟻の侵入を物理的に防ぐので、上述したように、定期的な再処理は不要であるが、集積させた白蟻侵入防止剤２８が崩れて移動したりすると、白蟻侵入防止剤２８はその防蟻性能を発揮することができない。しかしながら、この防蟻システム１０では、集積させた白蟻侵入防止剤２８の外周を外周規定部１６によって規定するようにしているので、集積させた白蟻侵入防止剤２８の形状を固定的に保持して、白蟻侵入防止剤２８が崩れて移動することを防止できる。したがって、この実施例によれば、確実な防蟻効果を持続させることが可能である。
【００６２】
しかも、この防蟻システム１０では、白蟻侵入防止剤２８がコンクリート基礎１００の水平面１００ａに露出しているので、地震や地盤沈下などが生じた場合にも、集積させた白蟻侵入防止剤２８が崩れて移動していないかを簡単に目視確認することができる。そして、もし白蟻侵入防止剤２８が崩れて移動していた場合にも、白蟻侵入防止剤２８を交換しまたは再配置するだけの簡単な作業で、白蟻侵入防止剤２８の更新（または、補修）を行うことができる。
【００６３】
すなわち、この実施例によれば、防蟻システム１０を施工した後でも、白蟻侵入防止剤２８を目視確認することが可能であるので、白蟻侵入防止剤２８の更新を簡単に行うことができる。
【００６４】
なお、この実施例では、鞘管１０４の屋内側受口１１２に継ぎ管１２８が接続され、その継ぎ管１２８の上端およびコンクリート基礎１００の水平面１００ａの上に受け板１２が配置されたが、これに限定される必要はなく、受け板１２を鞘管１０４の管端付近に設けているのであればよい。図８に示すように、鞘管１０４の屋内側受口１１２がコンクリート基礎１００の水平面１００ａで露出して開口するように鞘管１０４を配置し、その管端（つまり、屋内側受口１１２の端面）およびコンクリート基礎１００の水平面１００ａの上に受け板１２を配置するようにしてもよい。この場合には、鞘管１０４を配置した後、鞘管１０４のコンクリート基礎１００の水平面１００ａより上部に露出した屋内側受口１１２を必要に応じて切断して、鞘管１０４の管端がコンクリート基礎１００の水平面１００ａと面一になるようにする。
【００６５】
また、この実施例では、受け板１２と外周規制部１６とがそれぞれ別々に設けられたが、これに限定される必要はない。
【００６６】
たとえば、図９に示すこの発明の他の一実施例である防蟻システム１０は、コンクリート基礎１００の水平面１００ａ上に配置される白蟻侵入防止剤集積ユニット３０を備えている。以下には、図９に示す防蟻システム１０について具体的に説明するが、図１に示す防蟻システム１０と同様の部分については、同じ参照番号を用い、その説明を省略或いは簡略化する。
【００６７】
図９および図１０に示すように、白蟻侵入防止剤集積ユニット３０は、ポリエチレンなどの合成樹脂からなり、受け板１２および外周規制部１６を含む。受け板１２は、中央部に開口１４を有するドーナツ板状に形成され、コンクリート基礎１００の水平面１００ａより上部に露出した内管１０６に外嵌されるとともに、コンクリート基礎１００の水平面１００ａおよび継ぎ管１２８の上端の上に配設される。そして、受け板１２の外周縁には、周方向の全長に亘って垂直方向に立ち上がる立上り部３２が形成される。立上り部３２の上端には、周方向に間隔を隔てて複数、たとえば４つの連結部３４が形成される。連結部３４は、矩形の板状に形成され、立上り部３２の上端から外側かつ上方に延びて、立上り部３２と外周規制部１６とを連結する。
【００６８】
外周規制部１６は、短円筒部１８および突部３６を有している。短円筒部１８は、上下方向に延びる短円筒状に形成され、その下端には、周方向に間隔を隔てて並ぶ複数、たとえば４つの突部３６が形成される。突部３６は、短円筒部１８の外面から外側に突き出し、突部３６には、ボルト４０を挿通するためのボルト孔３８が形成される。そして、この突部３６のボルト孔３８に挿通したボルト４０をコンクリート基礎１００の水平面１００ａに打ち込むことにより、白蟻侵入防止剤集積ユニット３０をコンクリート基礎１００の水平面１００ａ上に固定する。
【００６９】
さらに、受け板１２の上方および周囲には、白蟻侵入防止剤２８が集積される。白蟻侵入防止剤２８は、たとえば尖角形状のガラス片であり、外周規定部１６の短円筒部１８の内面と内管１０６の外面とコンクリート基礎１００の水平面１００ａとによって囲まれた上側開口の容器状の空間に全体としてリング形状を有するように集積（充填）される。
【００７０】
白蟻侵入防止剤２８の外周は外周規定部１６によって規定され、図１の実施例と同様に、白蟻侵入防止剤２８を集積可能な最大高さが、短円筒部１８の高さに応じて規定され、白蟻侵入防止剤２８を集積可能な最大範囲が、短円筒部１８の内径に応じて規定される。
【００７１】
すなわち、図９および図１１に示すように、短円筒部１８の上下方向の長さ（高さ）ｄ３は、白蟻が白蟻侵入防止剤２８の内部や周縁に沿った経路を上下方向に通過することを防止できるように、たとえば３０ｍｍに設定され、その短円筒部１８の高さｄ３に合わせて、白蟻侵入防止剤２８を３０ｍｍの高さまで集積するようにしている。
【００７２】
また、白蟻が白蟻侵入防止剤２８の内部や周縁に沿った経路を水平方向に通過することを防止できるように、立上り部３２と短円筒部１８との間の距離（つまり、受け板１２の外周縁と外周規制部１６との間の距離）ｄ４は、たとえば３０ｍｍに設定され、こうすることにより、受け板１２の外周縁から水平距離が３０ｍｍの範囲に白蟻侵入防止剤２８を集積するようにしている。
【００７３】
図９を参照して、このような防蟻システム１０をコンクリート基礎１００の配管貫通部分に施工するためには、コンクリート基礎１００の水平面１００ａより上部に露出した内管１０６に受け板１２を外嵌させて、そのまま白蟻侵入防止剤集積ユニット３０をコンクリート基礎１００の水平面１００ａおよび継ぎ管１２８の上端の上に配置する。
【００７４】
それから、白蟻侵入防止剤集積ユニット３０を、突部３６のボルト孔３８に挿通したボルト４０によってコンクリート基礎１００の水平面１００ａ上に固定する。そして、短円筒部１８と内管１０６とコンクリート基礎１００の水平面とに囲まれたリング状の空間の全体に白蟻侵入防止剤２８を集積し、その集積した白蟻侵入防止剤２８の表面に専用の固化剤を吹き付けて固める。これにより、コンクリート基礎１００の配管貫通部分への防蟻システム１０の施工が完了する。
【００７５】
このようにして防蟻システム１０をコンクリート基礎１００の配管貫通部分に施工することにより、図１２（ａ）に示すように、白蟻が屋外から鞘管１０４の外側を通って配管貫通部分へ侵入したときには、受け板１２とコンクリート基礎１００の水平面１００ａとの間に到達した白蟻が、受け板１２の外周縁から上方に向けて白蟻侵入防止剤２８の内部を進もうとしても、白蟻侵入防止剤２８が防蟻性能を発揮できる所定の高さに白蟻侵入防止剤２８を集積していることにより、白蟻は白蟻侵入防止剤２８の内部を上方に向けて通過することができないので、屋内への白蟻の侵入を防止できる。
【００７６】
また、図１２（ｂ）に示すように、同じように受け板１２とコンクリート基礎１００の水平面１００ａとの間に到達した白蟻が、受け板１２の外周縁から外方に向けて白蟻侵入防止剤２８の底部に沿った経路を進もうとしても、受け板１２の外周縁から白蟻侵入防止剤２８が防蟻性能を発揮できる所定の距離の範囲に白蟻侵入防止剤２８を集積していることにより、白蟻は白蟻侵入防止剤２８の底部に沿った経路を外方に向けて通過することができないので、屋内への白蟻の侵入を防止できる。
【００７７】
さらに、図１２（ｃ）に示すように、白蟻が屋外から内管１０６の外側を通って配管貫通部分へ侵入したときにも、内管１０６と受け板１２の内周縁との間に到達した白蟻が、そこから白蟻侵入防止剤２８の内周縁に沿った経路を上方に向けて進もうとしても、白蟻侵入防止剤２８が防蟻性能を発揮できる所定の高さに白蟻侵入防止剤２８を集積していることにより、白蟻は白蟻侵入防止剤２８の内周縁に沿った経路を上方に向けて通過することができないので、屋内への白蟻の侵入を防止できる。
【００７８】
このように、図９の実施例においても、鞘管１０４とコンクリート基礎１００との隙間や、鞘管１０４と内管１０４との隙間など二重配管１０２の配管貫通部分に侵入した白蟻が屋内へ侵入することを防止できる。
【００７９】
また、図９の実施例においても、外周規制部１６によって白蟻侵入防止剤２８が崩れて移動したりすることを防止しているので、確実な防蟻効果を持続させることが可能であり、また、防蟻システム１０を施工した後でも、白蟻侵入防止剤２８を目視確認することができるので、白蟻侵入防止剤２８の更新を簡単に行うことができる。
【００８０】
さらに、図９の実施例では、受け板１２と外周規制部１６とを一体的に形成して白蟻侵入防止剤集積ユニット３０としてパッケージ化するようにしているので、白蟻侵入防止剤集積ユニット３０をコンクリート基礎１００の水平面１００ａの所定位置に固定して、そこに白蟻侵入防止剤２８を集積するだけで、防蟻システム１０を施工することができる。すなわち、図１の実施例のように、白蟻侵入防止剤２８を受け板１２の外周縁から所定の距離の範囲に集積できるように受け板１２の外周縁と外周規制部１６との間の距離を施工現場で正確に計測する作業などを行う手間がなくなるので、施工性が向上される。
【００８１】
また、図１３に示すこの発明のさらに他の一実施例である防蟻システム１０は、図１の防蟻システム１０とは白蟻侵入防止剤２８を集積する場所が異なる。以下には、図１３に示す防蟻システム１０について具体的に説明するが、図１に示す防蟻システム１０と同様の部分については、同じ参照番号を用い、その説明を省略或いは簡略化する。
【００８２】
図１３に示すように、防蟻システム１０は、開口部４２、受け板１２、および白蟻侵入防止剤２８を備えている。開口部４２は、図１４および図１５に示すように、コンクリート基礎１００の水平面１００ａに形成される円柱形の開口であり、鞘管１０４の屋内側の管端コンクリート基礎１００の水平面１００ａから、つまり屋内側受口１１２まで上下方向に貫通する。
【００８３】
開口部４２内では、内管１０６の周囲に受け板１２が設けられる。受け板１２は、中央部に開口１４を有するドーナツ板状に形成され、開口部４２の内部で内管１０６に外嵌されるとともに、鞘管１０４の屋内側受口１１２に嵌め込むように配設される。受け板１２の内径は、内管１０６の外径と略等しくなるように設定され、その外径は、鞘管１０４の屋内側受口１１２の径と等しいかそれよりもやや小さくなるように設定される。
【００８４】
さらに、開口部４２内では、受け板１２の上方に白蟻侵入防止剤２８が集積（充填）される。白蟻侵入防止剤２８は、たとえば尖角形状のガラス片であり、その上端がコンクリート基礎１００の水平面１００ａと面一になるように開口部４２内に集積される。
【００８５】
開口部４２の周囲（周縁）はコンクリート基礎１００によって囲まれているため、白蟻侵入防止剤２８の外周はコンクリート基礎１００によって規定され、白蟻侵入防止剤２８を集積可能な最大高さは、コンクリート基礎１００の水平面１００ａと受け板１２の上面との高低差（つまり、開口部４２の上下方向の長さ）に応じて規定されることとなる。
【００８６】
すなわち、図１４および図１５に示すように、コンクリート基礎１００の水平面１００ａと受け板１２の上面との高低差ｄ５は、白蟻が白蟻侵入防止剤２８の内部や周縁に沿った経路を上下方向に通過することを防止できるように、たとえば４０ｍｍに設定され、こうすることにより、白蟻侵入防止剤２８を４０ｍｍの高さまで集積するようにしている。また、それよりも外側では、鞘管１０４の屋内側受口１１２が受け板１２よりも上方まで立ち上がっているので、コンクリート基礎１００の水平面１００ａと鞘管１０４の屋内側受口１１２の端面（つまり、鞘管１０４の管端）からコンクリート基礎１００の水平面１００ａまでの高さｄ６が、たとえば３０ｍｍになるようにしている。
【００８７】
図１４および図１６を参照して、このような防蟻システム１０をコンクリート基礎１００の配管貫通部分に施工するためには、先ず、二重配管１０２の施工時に、図１６（ａ）に示すように、鞘管１０４の屋内側受口１１２にボイド管１３０を挿入しておいて、基礎型枠内にコンクリートを打設し、コンクリート基礎１００を形成する。なお、ボイド管１３０は、紙で形成された直管であり、その外径は鞘管１０４の屋内側受口１１２の径と等しくなるように設定される。そして、コンクリートが乾いたら、ボイド管１３０を解体してコンクリート基礎１００から取り除く。すると、図１６（ｂ）に示すように、コンクリート基礎１００に開口部４２が形成される。
【００８８】
次に、コンクリート基礎１００の水平面１００ａより上部に露出した内管１０６に受け板１２を外嵌させて、その受け板１２を鞘管１０４の屋内側受口１１２内に（つまり、屋内側受口１１２のストッパに係止されるように）配設する。そして、開口部４２内で受け板１２の上方に白蟻侵入防止剤２８を集積（充填）し、その集積した白蟻侵入防止剤２８の表面に専用の固化剤を吹き付けて固める。これにより、コンクリート基礎１００の配管貫通部分への防蟻システム１０の施工が完了する。
【００８９】
このようにして防蟻システム１０をコンクリート基礎１００の配管貫通部分に施工することにより、図１７（ａ）に示すように、屋外から鞘管１０４の外側を通って配管貫通部分へ侵入した白蟻が、鞘管１０４の管端（屋内側受口１１２の端面）から白蟻侵入防止剤２８の外周縁に沿った経路（つまり、白蟻侵入防止剤２８の外周縁とコンクリート基礎１００との隙間）を上方に向けて進もうとしても、白蟻侵入防止剤２８が防蟻性能を発揮できる所定の高さに白蟻侵入防止剤２８を集積していることにより、白蟻は白蟻侵入防止剤２８の外周縁に沿った経路を上方に向けて通過することができないので、屋内への白蟻の侵入を防止できる。
【００９０】
また、図１７（ｂ）に示すように、屋外から内管１０６の外側を通って配管貫通部分へ侵入し、受け板１２の内周縁と内管１０６との間に到達した白蟻が、そこから白蟻侵入防止剤２８の内周縁に沿った経路を上方に向けて進もうとしても、白蟻侵入防止剤２８が防蟻性能を発揮できる所定の高さに白蟻侵入防止剤２８を集積していることにより、白蟻は白蟻侵入防止剤２８の内周縁に沿った経路を上方に向けて通過することができないので、屋内への白蟻の侵入を防止できる。
【００９１】
このように、図１３の実施例においても、鞘管１０４とコンクリート基礎１００との隙間や、鞘管１０４と内管１０６との隙間など二重配管１０２の配管貫通部分に侵入した白蟻が屋内へ侵入することを防止できる。
【００９２】
また、開口部４２の周囲のコンクリート基礎１００によって白蟻侵入防止剤２８が崩れて移動したりすることを防止しているので、確実な防蟻効果を持続させることが可能であり、また、防蟻システム１０を施工した後でも、白蟻侵入防止剤２８を目視確認することができるので、白蟻侵入防止剤２８の更新を簡単に行うことができる。
【００９３】
さらに、図１３の実施例では、コンクリート基礎１００に設けた開口部４２内に白蟻侵入防止剤２８を集積するだけで、防蟻システム１０を施工することができる。すなわち、図１の実施例のように、白蟻侵入防止剤２８を受け板１２の外周縁から所定の距離の範囲に集積できるように受け板１２の外周縁と外周規制部１６との間の距離を施工現場で正確に計測する作業などを行う手間がなくなるので、施工性が向上される。
【００９４】
なお、上述の各実施例ではいずれも、集積した白蟻侵入防止剤２８が外周規定部１６を越えてそれよりも外側に移動（散乱）することがないように、白蟻侵入防止剤２８を集積した後でその表面に専用の固化剤を吹き付けて固めるようにしたが、これに限定される必要はなく、予め白蟻侵入防止剤２８と専用の固化剤とを混合しておいたものを集積するようにしてもよい。
【００９５】
さらにまた、必ずしも固化剤を利用する必要はなく、たとえば、図１８に示すこの発明のさらに他の一実施例である防蟻システム１０では、集積した白蟻侵入防止剤２８の上方に蓋部材４６を設置し、その蓋部材４６によって白蟻侵入防止剤２８の移動を防止するようにしている。以下には、図１８に示す防蟻システム１０について具体的に説明するが、図１に示す防蟻システム１０と同様の部分については、同じ参照番号を用い、その説明を省略或いは簡略化する。
【００９６】
図１８に示すように、防蟻システム１０では、受け板１２は、中央部に開口１４を有するドーナツ板状に形成され、コンクリート基礎１００の水平面１００ａより上部に露出した内管１０６に外嵌されるとともに、コンクリート基礎１００の水平面１００ａおよび継ぎ管１２８の上端の上に配設される。
【００９７】
また、受け板１２よりも外側には、コンクリート基礎１００の水平面の上に外周規定部１６が設けられる。外周規定部１６の短円筒部１８の上端付近には、図１９（ａ）および（ｂ）に示すように、短円筒部１８を厚み方向に貫通する複数（この実施例では３つ）の切り込み４４が形成されている。切り込み４４は、周方向に一定間隔で並んで形成され、この切り込み４４に後述する蓋部材４６の爪５２が嵌め込まれる。
【００９８】
さらに、図１８に示すように、受け板１２の上方および周囲には、白蟻侵入防止剤２８が集積される。白蟻侵入防止剤２８は、外周規定部１６の短円筒部１８の内面と内管１０６の外面とコンクリート基礎１００の水平面１００ａとによって囲まれた上側開口の容器状の空間に全体としてリング形状を有するように集積される。そして、白蟻侵入防止剤２８が外周規定部１６を越えてそれよりも外側に移動しないように、白蟻侵入防止剤２８の上方が蓋部材４６によって覆われている。
【００９９】
蓋部材４６は、図２０に示すように、透明塩化ビニルなどの合成樹脂からなり、中央部に開口５０を有するドーナツ板状に形成される蓋本体４８を含み、内管１０６に外嵌されるとともに、外周規定部１６の短円筒部１８の上端付近に着脱可能に設置される。すなわち、蓋本体４８の開口５０には内管１０６が挿通され、蓋本体４８の内径（つまり、開口５０の径）は、内管１０６の外径と略等しく設定される。具体的には、蓋本体４８の内径は、蓋本体４８の内周縁と内管１０６の外面との隙間が５ｍｍ程度になるようにされ、たとえば１００ｍｍである。また、蓋本体４８の外径は、外周規定部１６の内径よりも小さくなるように設定され、たとえば３１３ｍｍである。
【０１００】
蓋本体４８の外周縁には、上述した短円筒部１８の切り込み４４に対応する位置に、複数（この実施例では３つ）の爪５２が形成される。爪５２は、蓋本体４８の周方向に一定間隔で並んで形成され、蓋本体４８の外周縁から径方向の外側に延出し、蓋部材４６を設置する時に上述した外周規定部１６の切り込み４４に嵌め込まれる。
【０１０１】
さらに、蓋本体４８には、開口５０を規定する内縁から外縁にかけて延び、蓋本体４８を周方向に分断する切断部（スリット）５４が形成される。切断部５４は、複数の爪５２の中の１つの爪５２を２つの爪分割体５２ａ，５２ｂに分断するように形成され、この切断部５４を閉じた時に２つの爪分割体５２ａ，５２ｂが接合して爪５２を形成する。
【０１０２】
図１８−２０を参照して、このような防蟻システム１０を施工するためには、コンクリート基礎１００の水平面１００ａより上部に露出した内管１０６に受け板１２を外嵌させて、受け板１２をコンクリート基礎１００の水平面１００ａおよび継ぎ管１２８の上端の上に配置する。
【０１０３】
次に、受け板１２の外周から所定の距離を確保した位置に外周規定部１６を配置し、その外周規定部１６をコンクリート基礎１００の水平面１００ａ上に固定する。そして、短円筒部１８の内面と内管１０６の外面とコンクリート基礎１００の水平面とによって囲まれた上側開口の容器状の空間に白蟻侵入防止剤２８を集積し、その集積した白蟻侵入防止剤２８を上方から覆うように蓋部材４６を設置する。
【０１０４】
具体的には、蓋部材４６を設置するときに、内管１０６（第１内管部１２０の他端）をすでに屋内排水管（つまり、継手や合流ますなど）に接続している場合には、先ず、蓋本体４８を少し弾性変形させて切断部５４を開き、切断部５４を通して内管１０６を開口５０に収容し、切断部５４を閉じることによって蓋部材４６を内管１０６に外嵌させる。それから、蓋部材４６の各爪５２を外周規定部１６の短円筒部１８の各切り込み４４に嵌め込むことによって、蓋部材４６を外周規定部１６に固定的に設置する。ただし、内管１０６をまだ屋内排水管に接続していない場合には、蓋部材４６の蓋本体４８の開口５０に内管１０６を挿通させることによって蓋部材４６を内管１０６に外嵌させるようにするとよい。
【０１０５】
このようにして防蟻システム１０をコンクリート基礎１００の配管貫通部分に施工することにより、図１の実施例と同様に、鞘管１０４とコンクリート基礎１００との隙間や、鞘管１０４と内管１０４との隙間など二重配管１０２の配管貫通部分に侵入した白蟻が屋内へ侵入することを防止できる。
【０１０６】
さらに、この実施例では、蓋部材４６によって白蟻侵入防止剤２８が外周規定部１６を越えてそれよりも外側に移動することを防止するようにしている。このため、集積した白蟻侵入防止剤２８を固める専用の固化剤を吹き付ける作業を行う必要がなくなり、施工性を向上させることができる。しかも、固化剤の効果の継続時間に依存せずに白蟻侵入防止剤２８の移動を防止できるので、システム１０のより長寿命化を実現することができる。
【０１０７】
さらにまた、この実施例では、蓋部材４６が透明性を有するようにしているので、防蟻システム１０を施工した後でも、白蟻侵入防止剤２８を目視確認することが可能である、したがって、白蟻侵入防止剤２８の更新を簡単に行うことができる。ただし、必ずしも蓋部材４６を透明性を有する合成樹脂によって形成する必要はない。
【０１０８】
なお、この実施例では、図１の実施例のシステム１０において固化剤を利用する代わりに、集積した白蟻侵入防止剤２８の上方に蓋部材４６を設置したが、図９の実施例のシステム１０や図１３の実施例のシステム１０においても固化剤を利用する代わりに蓋部材を適用するようにしてもよいことは言うまでもない。
【０１０９】
たとえば、図１３の実施例のシステム１０に蓋部材４６を適用する場合には、外周規定部１６の短円筒部１８の切り込み４４や蓋部材４６の爪５２は不要であり、ドーナツ板状に形成した蓋部材４６をコンクリート基礎１００の水平面１００ａ上に接着テープなどによって着脱可能に固定するとよい。
【０１１０】
また、この実施例では、蓋本体４８に１つの切断部５４が形成され、蓋本体４８を少し弾性変形させて切断部５４を開き、切断部５４を通して内管１０６を開口５０に収容するようにしたが、これに限定される必要はない。
【０１１１】
たとえば、図２１に示すように、蓋本体４８に２つの切断部５４を形成して、蓋本体４８を第１蓋本体４８ａと第２蓋本体４８ｂとを組み合わせて構成するようにしてもよい。すなわち、蓋本体４８には、開口５０を規定する内縁から外縁にかけて延びる２つの切断部５４が形成され、この２つの切断部５４によって蓋本体４８が略半円板状の第１蓋本体４８ａと第２蓋本体４８ｂとに分割されている。そして、第１蓋本体４８ａと第２蓋本体４８ｂとを２つの切断部５４が閉じるように組み合わせた時に、蓋本体４８の中央部に開口５０が構成されることとなる。蓋本体４８の外周縁には、たとえば４つの爪５２が周方向に並んで形成されており、切断部５４は、複数の爪５２の中の２つの爪５２を２つの爪分割体５２ａ，５２ｂに分断するように形成され、この切断部５４を閉じた時に２つの爪分割体５２ａ，５２ｂが接合して爪５２を形成する。こうすることにより、各蓋本体４８ａをそれ単体でも外周規定部１６の短円筒部１８に固定できるようになる。ただし、２つの爪分割体５２ａ，５２ｂが接合して爪５２を形成するようにせずに、第１蓋本体４８ａと第２蓋本体４８ｂとを接着テープなどによって接合するようにしてもよい。
【０１１２】
また、図２２に示すように、２つの爪分割体５２ａ，５２ｂの両隣りに補助爪５６をそれぞれ形成し、この補助爪５６を爪分割体５２ａ，５２ｂとともに外周規定部１６の短円筒部１８の各切り込み４４に嵌め込むようにしてもよい。この場合には、蓋部材４６をより安定的に外周規定部１６に設置することが可能になる。
【０１１３】
さらにまた、図２３に示すように、蓋部材４６の蓋本体４８の開口５０の周囲に易切断部５８を同心円状に形成するようにしてもよい。たとえば、易切断部５８は、所定間隔で薄肉部やミシン目状の切れ目が形成されたものであり、この易切断部５８に沿って作業者は手で簡単に蓋本体４８を切断することが可能である。この場合には、内管の径寸法に合わせて蓋本体４８の内周側を易切断部５８に沿って切断する（取り外す）ことによって蓋本体４８の開口５０の径寸法を変えることができるようになるので、サイズの異なる複数の内管に対して共通する蓋部材４６を設置することが可能になり、製品の種類および在庫量の削減を図ることができる。なお、図示は省略するが、易切断部５８は受け板１２にも形成することが可能である。
【０１１４】
また、蓋部材の素材や形状は上述したものに限定される必要はなく、ドーナツ状の板やシートであればよい。すなわち、集積した白蟻侵入防止剤２８の上方を蓋部材によって覆い、その蓋部材によって白蟻侵入防止剤２８が外周規定部１６を越えてそれよりも外側に移動することを防止できるのであれば、蓋部材の素材や形状は適宜変更可能である。
【０１１５】
さらに、上述の各実施例ではいずれも、白蟻侵入防止剤２８として尖角形状のガラス片を使用し、白蟻侵入防止剤２８の内部や周縁を白蟻が通過することを防止するために、白蟻侵入防止剤２８を少なくとも１０ｍｍ以上の高さおよび水平距離で集積するようにした。しかしながら、これは単なる一例であって、白蟻侵入防止剤を集積させる高さおよび水平距離などの数値は、白蟻侵入防止剤の種類に応じて適宜設定すればよい。
【０１１６】
さらにまた、上述の各実施例ではいずれも、コンクリート基礎１００の屋内側の上面（水平方向に拡がる面）１００ａのやや下方で開口する鞘管１０４の管端付近に防蟻システム１０を施工したが、これに限定される必要はなく、コンクリート基礎１００の屋内側の側面（垂直方向に拡がる面）に配管されている鞘管の管端付近にも防蟻システム１０を施工することが可能である。また、同様にして、コンクリート基礎１００の屋外側の水平面や側面に配管されている鞘管の管端付近にも防蟻システム１０を施工することが可能である。
【０１１７】
さらにまた、上述の各実施例ではいずれも、垂直方向に延びる第１鞘管部１０８と水平方向に延びる第２鞘管部１１０とを略Ｌ字状に組み合わせた鞘管１０４を建物のコンクリート基礎１００に埋め込み、その鞘管１０４内に、屈曲内管部１１８、第１内管部１２０および第２内管部１２２を略Ｌ字状に組み合わせた内管１０６を挿通させたが、上述したとおり、これに限定される必要はなく、二重配管１０２の構造は適宜変更可能である。たとえば、コンクリート基礎１００内を鞘管が上方にやや傾斜して立ち上がるようにしてもよいし、鞘管を曲管状に形成してもよいし、内管をコルゲート管などの可撓管によって形成してもよい。
【０１１８】
さらにまた、上述した径や長さ等の各種寸法の具体的数値は、いずれも単なる一例であり、必要に応じて適宜変更可能である。
【符号の説明】
【０１１９】
１０  …防蟻システム
１２  …受け板
１６  …外周規制部
２８  …白蟻侵入防止剤
４２  …開口部
４６  …蓋部材
１００  …コンクリート基礎
１０２  …二重配管
１０４  …鞘管
１０６  …内管
【図１】
2013227851.tif 000003
【図２】
2013227851.tif 000004
【図３】
2013227851.tif 000005
【図４】
2013227851.tif 000006
【図５】
2013227851.tif 000007
【図６】
2013227851.tif 000008
【図７】
2013227851.tif 000009
【図８】
2013227851.tif 000010
【図９】
2013227851.tif 000011
【図１０】
2013227851.tif 000012
【図１１】
2013227851.tif 000013
【図１２】
2013227851.tif 000014
【図１３】
2013227851.tif 000015
【図１４】
2013227851.tif 000016
【図１５】
2013227851.tif 000017
【図１６】
2013227851.tif 000018
【図１７】
2013227851.tif 000019
【図１８】
2013227851.tif 000020
【図１９】
2013227851.tif 000021
【図２０】
2013227851.tif 000022
【図２１】
2013227851.tif 000023
【図２２】
2013227851.tif 000024
【図２３】
2013227851.tif 000025